(57)【特許請求の範囲】
【請求項１】
間口に対して固定される固定壁と、
前記固定壁に沿って移動するドアと
前記固定壁に設けられた耐熱ガラスと、
前記耐熱ガラスの一方の側部を支持して間口に取り付けられる縦枠と、
前記耐熱ガラスの他方の側部を支持する中方立と、
前記耐熱ガラスの下部を支持する巾木と、
前記間口の上方に配置されている無目と、を含む防火戸であって、
前記中方立は、前記防火戸の高さ方向に延びる中空の形状であり、前記中方立の端部と前記無目の底壁との間に間隔が形成され、
さらに、前記中方立は、前記ドアと面する第１の壁と、前記防火戸の前後方向において空間を介して前記第１の壁と対向する第２の壁と、前記防火戸の前後方向に延びて前記第１の壁と前記第２の壁とを繋ぐ第３の壁と、前記中方立の内部に配置される芯材とを備え、
前記芯材は、前記中方立の前記第２の壁の内面、および、前記中方立の前記第３の壁の内面の少なくともいずれか一方に接触して配置されている
防火戸。
【請求項２】
前記芯材の前記第２の壁の内面に接触している部分、および、前記芯材の前記第３の壁の内面に接触している部分の少なくとも一方は、前記防火戸の高さ方向に延びる形状である
請求項１に記載の防火戸。
【請求項３】
前記無目の前記底壁に取り付けられたブラケットを備え、
前記ブラケットは、前記防火戸の高さ方向に延びる長孔が形成され、
前記中方立の端部は、前記長孔に挿入されたボルトを介して前記ブラケットと繋がり、
前記ボルトは、前記長孔の上端と間隔をあけて配置されている
請求項１または２に記載の防火戸。
【請求項４】
前記無目は、前記底壁から前記防火戸の高さ方向の下方に突出し、前記無目を構成する部材の位置決めをするガイド板を備え、
前記ガイド板は、前記中方立と面する位置に切り欠きが形成されている
請求項３に記載の防火戸。
【請求項５】
前記耐熱ガラスは、低膨張防火ガラスである
請求項１〜４のいずれか一項に記載の防火戸。
【発明の詳細な説明】
【技術分野】
【０００１】
本発明は、建物に設置される防火戸に関する。
【背景技術】
【０００２】
従来から、商業施設および病院等の建物に設置される防火戸が知られている。その一例である特許文献１に記載の防火戸は、間口に取り付けられる縦枠、間口に対して固定される固定壁、および、固定壁に沿って移動するドアを備える。固定壁は、耐熱ガラス、および、耐熱ガラスの上部、下部、ならびに、一対の側部を支持している枠体を備える。
【先行技術文献】
【特許文献】
【０００３】
【特許文献１】特開平８−２８４５４４号公報
【発明の概要】
【発明が解決しようとする課題】
【０００４】
特許文献１の防火戸は、耐熱ガラスの四方が枠体により支持されているため、耐熱ガラスの露出面積が少なく、美観が高められにくい。
本発明の目的は、美観が高められる防火戸を提供することである。
【課題を解決するための手段】
【０００５】
（１）本発明の一形態に従う防火戸は、間口に対して固定される固定壁を含む防火戸であって、前記固定壁は、耐熱ガラス、前記耐熱ガラスの一方の側部を支持し、間口に取り付けられる縦枠、前記耐熱ガラスの他方の側部を支持する中方立、および、前記耐熱ガラスの下部を支持する巾木を備える。
【０００６】
この防火戸によれば、耐熱ガラスの上部が枠体により支持されておらず、また、縦枠が耐熱ガラスの一方の側部を支持する役割を兼ねているため、従来の防火戸と比較して耐熱ガラスの露出面積が大きくなる。このため、防火戸の美観が高められる。
【０００７】
（２）上記防火戸に従属する一形態によれば、前記固定壁の上方に配置されている無目を備え、前記中方立は、前記防火戸の高さ方向に延び、前記中方立の端部および前記耐熱ガラスの上部と、前記無目の底壁との間に間隔が形成されている。
【０００８】
この防火戸によれば、中方立の端部および耐熱ガラスの上部と、無目の底壁との間に間隔が形成されているため、防火戸が設置されている建物内で火災が発生した場合、中方立および耐熱ガラスが防火戸の高さ方向に熱膨張しても、無目の底壁まで伸長できる。このため、耐熱ガラスが中方立により支持されている状態が維持されやすい。
【０００９】
（３）上記防火戸に従属する一形態によれば、前記中方立は、中空の形状であり、前記中方立の内部に配置され、前記中方立のうちの少なくとも火炎にさらされる部分に芯材を備える。
【００１０】
この防火戸によれば、中方立のうちの少なくとも火炎にさらされる部分に芯材を備えるため、中方立のうちの火炎にさらされる部分の温度が上昇しにくい。このため、中方立のうちの火炎にさらされる部分と他の部分との温度差が大きくなりにくい。これにより、中方立が熱膨張したとき、防火戸の高さ方向において、中方立の部位ごとの延び量の差が大きくなりにくく中方立が防火戸の高さ方向に沿って熱膨張しやすい。このため、中方立が耐熱ガラスを支持している状態が維持されやすく、中方立から耐熱ガラスが外れにくい。
【００１１】
（４）上記防火戸に従属する一形態によれば、前記防火戸は、前記固定壁に沿って移動するドアを備え、前記中方立は、前記ドアと面する第１の壁、および、前記防火戸の前後方向において空間を介して前記第１の壁と対向する第２の壁を備え、前記芯材は、前記第２の壁の内面と接触している。
【００１２】
第１の壁は、ドアと面しているため、火炎にさらされにくい。一方、第２の壁は、防火戸により区画される室外空間または室内空間に面する壁であるため、防火戸が設置されている建物で火災が発生したときに火炎にさらされやすい部分となる。
【００１３】
この防火戸によれば、中方立のうちの火炎にさらされやすい部分である第２の壁の内面に芯材が接触しているため、第２の壁の温度が上昇しにくい。このため、中方立のうちの第２の壁とその他の部分との温度差が大きくなりにくい。このため、中方立が防火戸の高さ方向に沿って熱膨張しやすい。
【００１４】
（５）上記防火戸に従属する一形態によれば、前記中方立は、前記防火戸の前後方向に延び、前記第１の壁と前記第２の壁とを繋ぐ第３の壁を備え、前記芯材は、前記第３の壁の内面に接触している部分をさらに備える。
【００１５】
この防火戸によれば、芯材が、火炎にさらされやすい第３の壁の内面に接触しているため、第３の壁の温度が上昇しにくい。このため、火炎にさらされやすい第２の壁および第３の壁とその他の部分との温度差が大きくなりにくく、中方立が防火戸の高さ方向に沿って熱膨張しやすい。なお、防火戸の前後方向は、建物内において防火戸により区画される室内外の方向である。
【００１６】
（６）上記防火戸に従属する一形態によれば、前記芯材の前記第２の壁の内面に接触している部分、および、前記芯材の前記第３の壁の内面に接触している部分の少なくとも一方は、前記防火戸の高さ方向に延びる形状である。
【００１７】
この防火戸によれば、中方立の内部のより広い範囲に芯材が配置されるため、中方立の部位ごとの温度の偏りが大きくなりにくい。このため、中方立がより防火戸の高さ方向に沿って熱膨張しやすい。
【００１８】
（７）上記防火戸に従属する一形態によれば、前記無目の前記底壁に取り付けられたブラケットを備え、前記ブラケットは、前記防火戸の高さ方向に延びる長孔が形成され、前記中方立の端部は、前記長孔に挿入されたボルトを介して前記ブラケットと繋がり、前記ボルトは、前記長孔の上端と間隔をあけて配置されている。
【００１９】
この防火戸によれば、中方立の端部は、長孔に挿入されたボルトを介してブラケットと繋がっているため、長孔に沿った方向、すなわち、防火戸の高さ方向に沿った方向に中方立が熱膨張しやすい。このため、中方立から耐熱ガラスがより外れにくい。
【００２０】
（８）上記防火戸に従属する一形態によれば、前記無目は、前記底壁から前記防火戸の高さ方向の下方に突出し、前記無目を構成する部材の位置決めをするガイド板を備え、前記ガイド板は、前記中方立と面する位置に切り欠きが形成されている。
【００２１】
この防火戸によれば、無目のガイド板に切り欠きが形成されているため、中方立が防火戸の高さ方向に沿って熱膨張したときに、中方立と無目のガイド板とが接触して中方立が変形することが抑制される。このため、中方立から耐熱ガラスがより外れにくい。
【００２２】
（９）上記防火戸に従属する一形態によれば、前記耐熱ガラスは、低膨張防火ガラスである。
耐熱ガラスのうちの中方立に支持されている側部は、火炎に直接的にさらされにくいため、火炎に直接的にさらされた部分よりも温度が上昇しにくく、熱膨張しにくい。このため、耐熱ガラスのうちの火炎にさらされた部分と中方立に支持されている側部との間に熱応力が生じるおそれがある。
【００２３】
この防火戸によれば、耐熱ガラスとして低膨張防火ガラスが用いられているため、熱膨張率を小さくできる。このため、耐熱ガラスに温度差が生じても熱応力を小さくでき、耐熱ガラスの耐久性が高められる。
【発明の効果】
【００２４】
本発明にかかる防火戸によれば、美観が高められる。
【図面の簡単な説明】
【００２５】
【図１】実施形態の防火戸の外観の正面図。
【図２】図１のＤ２−Ｄ２線に沿う断面図。
【図３】図１の中方立および無目の背面側の分解斜視図。
【図４】図１の中方立および無目の背面側の斜視図。
【発明を実施するための形態】
【００２６】
（実施形態）
図１に示されるように、引き分け式の防火戸１は、建物内に形成された間口３００の長手方向において対向して配置された一対の縦枠２、および、一対の縦枠２の上方に配置され、一対の縦枠２により固定支持されている無目１００を備える。防火戸１は、さらに、２つの固定壁１０と、２つの固定壁１０が並べられている方向に沿って移動する２つの引戸８０を備える。無目１００には、引戸８０を移動させる駆動部９０が収容されており、駆動部９０が引戸８０を駆動方向ＺＢに移動させることにより、２つの引戸８０が２つの固定壁１０の間の出入口を開閉する。なお、防火戸１は、１つの固定壁１０、および、駆動部９０により駆動される１つの引戸８０を備える片引き式であってもよい。また、引戸８０は、ドアの一例であり、防火戸１は、引戸８０に代えて、駆動部９０により駆動される開戸、または、駆動部９０により駆動される折戸を備えていてもよい。
【００２７】
縦枠２は、鉄またはステンレスにより形成され、防火戸１の高さ方向ＺＡに延びている。固定壁１０は、防火戸１の高さ方向ＺＡに延びる中方立２０、および、中方立２０と縦枠２との間に配置され、引戸８０の駆動方向ＺＢに延びる巾木６０を備える。縦枠２は、耐熱ガラス７０の一方の側部を支持している。中方立２０は、耐熱ガラス７０の他方の側部を支持している。巾木６０は、耐熱ガラス７０の下部を支持している。耐熱ガラス７０としては、例えば、ホウケイ酸硝子を熱処理することにより耐熱性が高められた低膨張防火ガラスが用いられている。
【００２８】
引戸８０は、鉄またはステンレスにより形成された矩形状の枠体８１、および、枠体８１により支持されている耐熱ガラス８２を備える。引戸８０は、戸車を有するドアハンガ２１０，２２０を介して無目１００内に配置された走行レール（図示略）に吊り下げられ、駆動方向ＺＢにスライド自在に支持されている。耐熱ガラス８２としては、例えば、ホウケイ酸硝子を熱処理することにより耐熱性が高められた低膨張防火ガラスが用いられている。
【００２９】
駆動部９０は、電気モータ９１、電気モータ９１の出力軸と減速機（図示略）を介して連結されている駆動スプロケット９２、引戸８０の駆動方向ＺＢにおいて駆動スプロケット９２と間隔をあけて配置されている従動スプロケット９３、ならびに、駆動スプロケット９２と従動スプロケット９３とに巻き掛けられているチェーン９４を有する。チェーン９４は、互いに移動方向が異なる第１の部分９４Ａおよび第２の部分９４Ｂを有する。第１の部分９４Ａと２つの引戸８０のうちの一方の枠体８１とは、第１のドアハンガ２１０を介して接続されている。第２の部分９４Ｂと２つの引戸８０のうちの他方の枠体８１とは、第２のドアハンガ２２０を介して接続されている。電気モータ９１の駆動力がチェーン９４を介してドアハンガ２１０，２２０に伝達されることにより、引戸８０が開閉する。なお、無目１００内には、駆動部９０の他に、防火戸１が設置されている建物内で火災が発生したことが検出されたときに、引戸８０を閉じ方向に移動させるための自動閉鎖装置（図示略）が配置されている。
【００３０】
図３に示されるように、中方立２０は、防火戸１の高さ方向ＺＡに延び、中空の形状である本体部３０、本体部３０の内部に配置されている芯材４０、および、本体部３０の外周面に取り付けられている煙返し５０を備える。なお、図３においては、耐熱ガラス７０の図示を省略し、無目１００のうちの一部を図示している。
【００３１】
図２に示されるように、本体部３０は、引戸８０と面する第１の壁３１、および、防火戸１の前後方向ＺＣにおいて空間および芯材４０を介して第１の壁３１と対向する第２の壁３２を備える。本体部３０は、さらに、防火戸１の前後方向ＺＣに延び、第１の壁３１と第２の壁３２とを繋ぐ第３の壁３３、および、引戸８０を支持している第４の壁３４を備える。なお、防火戸１の前後方向ＺＣは、建物内において防火戸１により区画される室内外の方向である。また、図２においては、引戸８０の一部を二点鎖線で模式的に示している。
【００３２】
第１の壁３１は、２枚の板状の部材が重ね合わせられることにより形成されている。
第２の壁３２は、２枚の板状の部材が重ね合わせられることにより形成されている。第２の壁３２は、防火戸１が設置される建物内において、防火戸１により区画される室外空間または室内空間に面する壁である。このため、第２の壁３２は、防火戸１が設置されている建物で火災が発生したときに火炎にさらされやすい部分である。
【００３３】
第３の壁３３は、３枚の板状の部材が重ね合わせられることにより形成されている。第３の壁３３は、ボルト２３０が挿入される孔３３Ａが形成されている。第３の壁３３は、防火戸１が設置される建物内において、防火戸１により区画される室外空間または室内空間に面する壁である。このため、第３の壁３３は、防火戸１が設置されている建物で火災が発生したときに火炎にさらされやすい部分である。
【００３４】
第４の壁３４は、複数の板状の部材が重ね合わせられることにより形成されている。第４の壁３４には、第３の壁３３に向けて凹む凹部３４Ａが形成されている。凹部３４Ａには、耐熱ガラス７０の一方の側部を挟み込む一対のバックアップ材３５、および、凹部３４Ａと耐熱ガラス７０との隙間をシールする難燃性の一対のシール材３６が配置されている。
【００３５】
芯材４０は、比熱が高い材料により形成されている。芯材４０の材料の好ましい一例は、鉄である。芯材４０は、第２の壁３２の内面に接触している第１の部分４１、および、第３の壁３３の内面に接触している第２の部分４２を含む。第１の部分４１と第２の部分４２とは、一体的に形成されている。
【００３６】
図３に示されるように、第１の部分４１は、防火戸１の高さ方向ＺＡに延びる形状である。防火戸１の高さ方向ＺＡにおける第１の部分４１の寸法は、防火戸１の高さ方向ＺＡにおける第２の壁３２の寸法と実質的に等しい。第１の部分４１は、第２の壁３２の内面に溶接されている。
【００３７】
第２の部分４２は、防火戸１の高さ方向ＺＡに延びる形状である。防火戸１の高さ方向ＺＡにおける第２の部分４２の寸法は、防火戸１の高さ方向ＺＡにおける第３の壁３３の寸法と実質的に等しい。防火戸１の高さ方向ＺＡにおける第２の部分４２の寸法は、防火戸１の高さ方向ＺＡにおける第１の部分４１の寸法と実質的に等しい。第２の部分４２は、第３の壁３３の内面に溶接されている。第２の部分４２は、ボルト２３０が螺合される雌ねじ４２Ａが形成されている。
【００３８】
図３または図４に示されるように、無目１００は、駆動部９０（図１参照）を収容しているメインケース１１０、および、無目１００の底壁１１１から防火戸１の高さ方向ＺＡの下方に突出しているガイド板１２０を備える。
【００３９】
メインケース１１０は、鉄により形成されている。メインケース１１０の底壁１１１には、ボルト１４０が挿入される２つの孔１１１Ａが形成されている。メインケース１１０は、ブラケット１３０を介して、中方立２０と繋がっている。
【００４０】
ガイド板１２０は、鉄により形成されている。ガイド板１２０は、例えば、無目１００の底壁１１１に取り付けられるカバー部材等の無目１００を構成する部材の位置決めのために形成されている。ガイド板１２０は、引戸８０の駆動方向ＺＢに延びる形状であり、中方立２０と面する位置に切り欠き１２１が形成されている。
【００４１】
ブラケット１３０は、中方立２０の第３の壁３３に取り付けられている中方立取付部１３１、および、メインケース１１０の底壁１１１に取り付けられているケース取付部１３２を備える。中方立取付部１３１とケース取付部１３２とは、例えば鉄により一体的に形成されている。
【００４２】
中方立取付部１３１は、防火戸１の高さ方向ＺＡに延びる形状の長孔１３１Ａが形成されている。図２に示されるように、長孔１３１Ａ、および、第３の壁３３に形成されている孔３３Ａに挿入されたボルト２３０が、芯材４０の第２の部分４２に形成されている雌ねじ４２Ａと螺合することにより、中方立２０に対してブラケット１３０が固定される。図４に示されるように、ボルト２３０は、長孔１３１Ａの上端と間隔をあけて配置されている。本実施形態では、ボルト２３０は長孔１３１Ａの下端と接触している。
【００４３】
図３に示されるように、ケース取付部１３２は、ボルト１４０が挿入される２つの孔１３２Ａが形成されている。２つの孔１３２Ａ、および、メインケース１１０の底壁１１１の孔１１１Ａに挿入されたボルト１４０がメインケース１１０内に配置された芯材１５０に形成されている雌ねじ（図示略）と螺合することによりブラケット１３０と無目１００とが固定される。
【００４４】
図２を参照して、防火戸１の作用および効果について説明する。
本実施形態では、防火戸１が設置されている建物内において防火戸１により区画される空間のうち、第２の壁３２および第３の壁３３が面する空間で火災が発生した場合、すなわち、中方立２０の温度がより上昇しやすい場合を例に説明する。
【００４５】
第１の壁３１は、わずかな隙間を介して引戸８０と面しているため、火災が発生したときに火炎にさらされにくい。また、第４の壁３４は、耐熱ガラス７０を支持しているため、火炎にさらされにくい。一方、第２の壁３２および第３の壁３３は、防火戸１により区画される室外空間または室内空間に面する壁であるため、火災が発生したときに火炎にさらされやすい。
【００４６】
防火戸１は、中方立２０のうちの少なくとも火炎にさらされる部分である、第２の壁３２および第３の壁３３に芯材４０を備えるため、第２の壁３２および第３の壁３３の温度が上昇しにくい。このため、中方立２０のうちの第２の壁３２および第３の壁３３と他の部分との温度差が大きくなりにくい。これにより、中方立２０が熱膨張したとき、防火戸１の高さ方向ＺＡにおける中方立２０の部位ごとの延び量の差が大きくなりにくく、中方立２０が防火戸１の高さ方向ＺＡに沿って熱膨張しやすい。このため、中方立２０が耐熱ガラス７０を支持している状態が維持されやすく、中方立２０から耐熱ガラス７０が外れにくい。
【００４７】
本実施形態の防火戸１は、さらに以下の効果を奏する。
（１）耐熱ガラス７０の上部が枠体により支持されておらず、また、縦枠２が耐熱ガラス７０の一方の側部を支持する役割を兼ねているため、従来の防火戸と比較して耐熱ガラス７０の露出面積が大きくなる。このため、防火戸１の美観が高められる。
【００４８】
（２）中方立２０の端部および耐熱ガラス７０の上部と、無目１００の底壁１１１との間に間隔が形成されているため、防火戸１が設置されている建物内で火災が発生した場合、中方立２０および耐熱ガラス７０が防火戸１の高さ方向ＺＡに熱膨張しても、無目１００の底壁１１１と接触しにくい。このため、耐熱ガラス７０が中方立２０により支持されている状態が維持されやすい。
【００４９】
（３）芯材４０の第１の部分４１、および、芯材４０の第２の部分４２が、防火戸１の高さ方向ＺＡに延びる形状であるため、中方立２０の内部のより広い範囲に芯材４０が配置される。このため、中方立２０の部位ごとの温度の偏りが大きくなりにくく、中方立２０がより防火戸１の高さ方向ＺＡに沿って熱膨張しやすい。
【００５０】
（４）中方立２０の端部は、長孔１３１Ａに挿入されたボルト２３０を介してブラケット１３０と繋がっているため、長孔１３１Ａに沿った方向、すなわち、防火戸１の高さ方向ＺＡに沿った方向に中方立２０が熱膨張しやすい。このため、中方立２０から耐熱ガラス７０がより外れにくい。
【００５１】
（５）無目１００のガイド板１２０に切り欠き１２１が形成されているため、中方立２０が防火戸１の高さ方向ＺＡに沿って熱膨張したときに、中方立２０と無目１００のガイド板１２０とが接触して中方立２０が変形することが抑制される。このため、中方立２０から耐熱ガラス７０がより外れにくい。
【００５２】
（６）耐熱ガラス７０のうちの中方立２０に支持されている側部は、火炎に直接的にさらされにくいため、火炎に直接的にさらされた部分よりも温度が上昇しにくく、熱膨張しにくい。このため、耐熱ガラス７０のうちの火炎にさらされた部分と中方立２０に支持されている側部との間に熱応力が生じるおそれがある。防火戸１は、耐熱ガラス７０として低膨張防火ガラスが用いられているため、熱膨張率を小さくできる。このため、耐熱ガラス７０に温度差が生じても熱応力を小さくでき、耐熱ガラス７０の耐久性が高められる。
【００５３】
（変形例）
上記実施形態に関する説明は、本発明に従う防火戸が取り得る形態の例示であり、その形態を制限することを意図していない。本発明に従う防火戸は、例えば以下に示される実施形態の変形例、および、相互に矛盾しない少なくとも２つの変形例が組み合わせられた形態を取り得る。
【００５４】
（変形例１）
上記実施形態において、芯材４０の形状および寸法を、例えば以下の（ａ）〜（ｉ）のようにしてもよい。
【００５５】
（ａ）第１の部分４１または第２の部分４２を省略してもよい。
（ｂ）第１の部分４１と第２の部分４２とを別体により形成してもよい。
（ｃ）第１の部分４１および第２の部分４２の少なくとも一方を、鉄以外の材料により形成してもよい。
【００５６】
（ｄ）第１の部分４１と第２の壁３２とを１つ、または、複数のボルトにより固定してもよい。
（ｅ）第２の部分４２と第３の壁３３とを１つ、または、複数のボルトにより固定してもよい。
【００５７】
（ｆ）防火戸１の高さ方向ＺＡにおける第１の部分４１の寸法を、防火戸１の高さ方向ＺＡにおける第２の壁３２の寸法よりも短い寸法、または、防火戸１の高さ方向ＺＡにおける第２の壁３２の寸法よりも長い寸法にしてもよい。
【００５８】
（ｇ）防火戸１の高さ方向ＺＡにおける第２の部分４２の寸法を、防火戸１の高さ方向ＺＡにおける第３の壁３３の寸法よりも短い寸法、または、防火戸１の高さ方向ＺＡにおける第３の壁３３の寸法よりも長い寸法にしてもよい。
【００５９】
（ｈ）中方立２０の形状に応じて、中方立２０のうちの火炎にさらされやすい部分は変化する。このため、中方立２０の内部において芯材４０が配置される箇所は、中方立２０の形状に応じて任意に変更可能である。
【００６０】
（ｉ）芯材４０は、例えば、無目１００に支持されていてもよい。すなわち、芯材４０は、中方立２０に直接的に取り付けられていなくてもよく、中方立２０のうちの火炎にさらされやすい部分と接触していればよい。
【００６１】
（変形例２）
上記実施形態において、固定壁１０および無目１００の構成を、例えば以下の（ａ）または（ｂ）のようにしてもよい。
【００６２】
（ａ）無目１００のガイド板１２０の切り欠き１２１を省略してもよい。
（ｂ）長孔１３１Ａの上端と下端との間にボルト２３０が配置されていてもよい。すなわち、ボルト２３０は、長孔１３１Ａの上端と間隔をあけて配置されていればよい。
【符号の説明】
【００６３】
１      ：防火戸
２      ：縦枠
１０    ：固定壁
２０    ：中方立
３１    ：第１の壁
３２    ：第２の壁
３３    ：第３の壁
４０    ：芯材
６０    ：巾木
７０    ：耐熱ガラス
８０    ：引戸
１００  ：無目
１１１  ：底壁
１２０  ：ガイド板
１２１  ：切り欠き
１３０  ：ブラケット
１３１Ａ：長孔
２３０  ：ボルト
３００  ：間口
【図１】
0006625362.tif 000002
【図２】
0006625362.tif 000003
【図３】
0006625362.tif 000004
【図４】
0006625362.tif 000005